(57)【特許請求の範囲】
【請求項１】
版ロールとアンビルロールとを備え、これらのロールの間に導かれた長尺のシート状部材に異なる絵柄を間欠的に印刷するシート状印刷物の製造装置に、シート状部材を連続的に供給し、該シート状部材に異なる絵柄を間欠的に印刷する吸収性物品用のシート状部材の製造方法であって、
前記シート状部材が吸収性物品のバックシート用のシート状部材であり、
前記版ロールは、略均等に区分された外周面の各区分に前記絵柄に対応した版部を有し、
前記アンビルロールは、印刷される前記絵柄の順に対応して前記版部に間欠的に対向配置されるアンビル部を略均等に三区分された外周面の二区分に有しているとともに、前記アンビルロールの周長が前記バックシートの長さを有し、
前記版ロールの前記区分が前記アンビルロールの前記区分と略同じ周長を有し且つ該版ロールの該区分の数が該アンビルロールの該区分の数で割り切れない数に設定されており、
前記バックシートの前身頃及び後身頃に対応する部位に前記異なる絵柄を印刷する吸収性物品用のシート状部材の製造方法。
【発明の詳細な説明】
【０００１】
【発明の属する技術分野】
本発明は、吸収性物品用のシート状部材の製造方法に関する。
【０００２】
【従来の技術及び発明が解決しようとする課題】
使い捨ておむつ等の吸収性物品には、その前後の判別を容易とする等の理由から、所定の位置に所定の模様が付けられている場合がある。例えば、パンツ型おむつの前後の区別には、バックシート等のおむつの部材に異なる絵柄を印刷することで前後が容易に区別され、特に子供用のパンツ型おむつにおいては、父母や子供に親しまれている。このような子供用パンツ型おむつに付される絵柄としては、動物、乗り物、食べ物、文字、音符等を組み合わせた絵柄が好んで用いられている。
【０００３】
このようなパンツ型おむつの部材に印刷を施す従来技術としては、所定の絵柄に対応する版部を有する版ロールと、該版ロールと同径又は異径の実質的に連続した外周面（アンビル部）を有するアンビルロールとを備えたシート状印刷物の製造装置を用い、これらのロールの間に長尺のシート状部材を供給し、所望の絵柄を印刷している（例えば、特許文献１参照。）。
【０００４】
【特許文献１】
特開平３−９０６０２号公報
【０００５】
ところで、上述のようなパンツ型おむつ等の吸収性物品は、所定個数が一つのパッケージに充填された形態で販売されており、一つのパッケージの中に多種類の絵柄を有する吸収性物品を充填することが望まれていた。
【０００６】
このような、多種類の絵柄を有する使い捨ておむつを従来の製造装置で製造する場合には、絵柄の数を増やすにともなって、版ロールの版部の間隔を広くする必要があり、その分版ロールの直径を大きくしければならず、装置が大型なものとならざるを得なかった。
【０００７】
従って本発明は、バリエーションに富んだ多種類の絵柄を有する吸収性物品用のシート状部材の製造方法を提供することを目的とする。
【０００８】
本発明は、版ロールとアンビルロールとを備え、これらのロールの間に導かれた長尺のシート状部材に異なる絵柄を間欠的に印刷するシート状印刷物の製造装置に、シート状部材を連続的に供給し、該シート状部材に異なる絵柄を間欠的に印刷する吸収性物品用のシート状部材の製造方法であって、前記シート状部材が吸収性物品のバックシート用のシート状部材であり、前記版ロールは、略均等に区分された外周面の各区分に前記絵柄に対応した版部を有し、前記アンビルロールは、印刷される前記絵柄の順に対応して前記版部に間欠的に対向配置されるアンビル部を略均等に三区分された外周面の二区分に有しているとともに、前記アンビルロールの周長が前記バックシートの長さを有し、前記版ロールの前記区分が前記アンビルロールの前記区分と略同じ周長を有し且つ該版ロールの該区分の数が該アンビルロールの該区分の数で割り切れない数に設定されており、前記バックシートの前身頃及び後身頃に対応する部位に前記異なる絵柄を印刷する吸収性物品用のシート状部材の製造方法を提供することにより、前記目的を達成したものである。
【００１０】
【発明の実施の形態】
以下、本発明を、その好ましい実施形態に基づき添付図面を参照しながら説明する。
【００１１】
図１（ａ）は、使い捨ておむつのバックシート用のシート状部材の製造装置の参考実施形態を示したものである。図１（ａ）中、符号１は製造装置、１０はバックシート用のシート状部材を示している。
【００１２】
図１（ａ）に示すように、製造装置１は、版ロール２と、版ロール２に従動して当該版ロール２とは逆に回転するアンビルロール３とを備えており、これらのロールの間に導かれた長尺のシート状部材１０に異なる絵柄（本実施形態では便宜上英文字Ａ〜Ｄで示している。図１（ｄ）参照。）を間欠的に印刷する装置である。該絵柄には、動物、乗り物、食べ物、文字、音符等を組み合わせたものが挙げられる。
【００１３】
図１（ｃ）に示すように、前記版ロール２は、前記絵柄に対応した４つの版部２１〜２４を外周面２０に有している。本実施形態の製造装置１においては、前記版ロール２は、略均等に四つの区分２０Ａ〜２０Ｄに区分された外周面２０の各区分２０Ａ〜２０Ｄに版部２１〜２４を有している。
【００１４】
アンビルロール３は、印刷される前記絵柄の順に対応して前記版部２１〜２４に間欠的に対向配置されるアンビル部３１を外周面３０の一部に有している。本実施形態の製造装置１では、アンビルロール３は、略均等に三つの区分３０Ａ〜３０Ｃに区分された外周面３０の一区分３０Ａに前記アンビル部３１を有している。
【００１５】
アンビルロール３の外周面の前記区分３０Ｂ、３０Ｃには、凹部３２、３３がそれぞれ設けられている。これにより、区分３０Ｂ、３０Ｃが前記版ロール２の区分２０Ａ〜２０Ｄと対向配置されたときにもシート状部材１０の表面に当該区分２０Ａ〜２０Ｄの版部２１〜２４の絵柄が転写されないようになっている。
【００１６】
本実施形態の製造装置１では、上述のように、版ロール２の外周面２０が四つに区分され、アンビルロール３の外周面３０が三つに区分され、版ロール２の区分の数がアンビルロール３の区分の数で割り切れないように設定されている。また、図１（ｂ）及び（ｃ）に示すように、本実施形態の製造装置１では、前記版ロール２の前記区分２０Ａ〜２０Ｄが前記アンビルロール３の前記区分３０Ａと略同じ周長を有している。
【００１７】
図１（ｂ）及び（ｄ）に示すように、本実施形態の製造装置１では、前記アンビルロール３の周長が、前記シート状部材１０が用いられるバックシートの長さに対応した長さ（略１倍：整数倍）に設定されている。即ち、バックシート１枚分の長さのシート状部材１０が版ロール２とアンビルロール３との間を通過するときに、アンビルロール３が一回転するように設定されている。そして、その後に加工されるバックシートの後身頃に相当する部分に前記何れかの区分２０Ａ〜２０Ｄの絵柄Ａ〜Ｄが印刷されるようになっている。
【００１８】
本実施形態の製造装置１は、インクが充填されたインクパン４と、版ロール２に従動しインクに浸漬されて当該版ロール２の前記版部２１〜２４に該インクを塗工する塗工ロール５と、余分なインクを版ロール２の版部２１〜２４から掻き取るブレード６とを備えている。インクは、従来からバックシートの印刷に用いられている通常のものを用いることができる。
【００１９】
図には示していないが、製造装置１は、版ロール２を回転駆動させる駆動手段と、該駆動手段による版ロール２の回転数を制御する制御手段とを備えており、シート状部材１０の所定位置に前記絵柄を正確に印刷できるようになっている。
【００２０】
次に、前記製造装置１を用いたバックシート用のシート状部材の製造方法について説明する。
【００２１】
図１（ａ）に示すように、ロール状に巻回されたシート状部材１０を供給ロール７によって版ロール２とアンビルロール３との間に供給する。
【００２２】
シート状部材１０には、従来から使い捨ておむつのバックシートに用いられている通常のものを用いることができる。
【００２３】
版ロール２は、所定の回転速度で回転させておき、アンビルロール３も版ロール２に従動させて当該版ロール２と略等速度に逆回転させておく。
【００２４】
そして、塗工ロール５によってインクが塗工された版ロール２の版部２１〜２４とアンビルロール３のアンビル部３１との間で各版部２１〜２４に対応する絵柄をシート状部材１０における後身頃に対応する部分に（間欠的に）転写する。
【００２５】
絵柄の転写を終えたシート状部材１０は、排出ロール８によって繰り出され、切断等の使い捨ておむつの製造における下位工程に送られ、当該下位工程において所望の処理が施される。
【００２６】
以上説明したように、本実施形態の吸収性物品用のシート状部材の製造方法によれば、一つのラインでバリエーションに富んだ多種類の絵柄を有するシート状部材を製造することができる。
【００２７】
次に、本発明の好ましい実施形態について説明する。
【００２８】
前記参考実施形態では、版ロールの外周面を４つに区分し、アンビルロールの外周面を３つに区分したが、本発明の実施形態においては、版ロールの外周面の区分数が、アンビルロールの外周面の区分数で割り切れないように適宜設定すれば、その版ロールの外周面の区分数に特に制限はない。
【００２９】
前記参考実施形態では、アンビルロール３の外周面３０の一区分Ａにアンビル部を配したが、本発明の実施形態では、アンビルロールの外周面の複数の区分にアンビル部を配する。例えば、図２（ａ）に示すように、アンビルロールの外周面３０'を略等区分に三つに区分してそのうちの二区分３０Ａ、３０Ｂをアンビル部３１とするとともに、該アンビルロールの周長をバックシートの長さに設定し、さらに図２（ｂ）に示すように、版ロールの外周面２０'を略等区分に五つの区分２０Ａ〜２０Ｅに区分してそれぞれに異なる版部２１〜２５を設けることによって、図２（ｃ）に示すように、連続して供給されるシート状部材１０におけるバックシートの前身頃と後身頃に対応する部分に異なる絵柄を間欠的に印刷することができる。これにより、バリエーションに富んだ多種類の絵柄を有する使い捨ておむつの製造が可能となる。
【００３０】
本発明は、長尺のシート状部材であれば、その材質、用途に特に制限はない。例えば、前記実施形態における使い捨ておむつのバックシート用のシート状部材の他、生理用ナプキンのバックシート等の各種吸収性物品の部材やその個装フィルム、その他等各種シート状部材の製造にも適用することができる。
【００３１】
【発明の効果】
本発明によれば、バリエーションに富んだ多種類の絵柄を有する吸収性物品用のシート状部材を製造することができる。
【図面の簡単な説明】
【図１】  本発明の参考実施形態を示す図であり、（ａ）はシート状部材の製造装置によるシート状部材の製造工程を模式的に示す図、（ｂ）はアンビルロールの外周面を模式的に示す展開平面図、（ｃ）は版ロールの外周面を模式的に示す展開平面図、（ｄ）は（ａ）におけるシート状部材を転写面側からみた図である。
【図２】  本発明の一実施形態を示す図であり、（ｂ）はアンビルロールの外周面を模式的に示す展開平面図（図１（ｂ）相当図）、（ｃ）は版ロールの外周面を模式的に示す展開平面図（図２（ｃ）相当図）、（ｄ）はシート状部材を転写面側からみた図（図１（ｄ）相当図）である。
【符号の説明】
１  吸収性物品用のシート状部材の製造装置
２  版ロール
２０  外周面
２０Ａ、２０Ｂ、２０Ｃ、２０Ｄ、２０Ｅ  区分
２１、２２、２３、２４  版部
３  アンビルロール
３０  外周面
３０Ａ、３０Ｂ、３０Ｃ  区分
３１  アンビル部
３２、３３  凹部
Ａ、Ｂ、Ｃ、Ｄ、Ｅ  絵柄
【図１】
0003688674.tif 000002
【図２】
0003688674.tif 000003